(57)【特許請求の範囲】
【請求項１】
電池ケースの底壁に端子設置用の凹窪部を形成すると共に該凹窪部の底面の中央部に少なくとも正，負極端子接続用の端子孔を併設し、該凹窪部の底面に該端子孔の上面を閉塞して少なくとも２枚の肉薄で長矩形状の端子板の一端部を導入して載置し、その他端部を該凹窪部の周側壁に沿い折り曲げた後、その外側の電池ケースの底面に沿い折り曲げて導出し、端子台を該凹窪部に嵌着して該凹窪部との間にこれら端子板の導入部を挟圧固定して成る電池パックにおける電池収納用ケースの端子部において、該凹窪部の底面にその中央部に併設した端子孔の外周を囲繞して環状突枠又は環状溝枠を形成し、該環状突枠部又は環状溝枠部と交叉する各端子板の個所をその突枠の横断面形状又は溝枠の横断面形状に沿って屈曲せしめた屈曲部として沿着し、該端子台を、その裏面に形成した環状溝枠又は環状突枠を該凹窪部の底面に設けた該環状突枠又は該環状溝枠に嵌合せしめた状態で該凹窪部内に嵌着し、これら端子部を挟圧固定したことを特徴とする電池パックにおける電池収納用ケースの端子部。
【請求項２】
該凹窪部の底面及び該端子台の裏面に夫々対向して設ける夫々の環状突枠又は環状溝枠を、二重に形成することを特徴とする請求項１記載の電池パックにおける電池収納用ケースの端子部。
【発明の詳細な説明】
【０００１】
【発明の属する技術分野】
本発明は、電池パックにおける電池収納用ケースの端子部に関する。
【０００２】
【従来の技術】
従来の電池パックにおける電池収納用ケースの端子部は、図７に示すような構成を有する。即ち、該端子部は、電池収納用ケースＡの底面ａに端子設置用の凹窪部Ｂを設けると共にその凹窪部Ｂの底面ｂ１の中央部に少なくとも２個の正，負極端子接続用の端子孔Ｃ（一方の極性端子孔は図面に対し直交し、図示の他方の極性Ｃの前方又は後方に位置する）を併設し、該凹窪部Ｂの底面ｂ１に各端子孔の上面を閉塞して肉薄で長矩形状の端子板Ｄの一端部ｄ１を導入して載置し、その他端部ｄ２を該凹窪部Ｂの周側壁面ｂ２からその外側の該電池ケースＡの底面ａに沿いＬ字状に折り曲げて導出し、該凹窪部Ｂ内に該凹窪部Ｂの面形状と同じ形状の端子台Ｅを嵌着して該端子台Ｅと該凹窪部Ｂとの間にこれら端子板Ｄ，Ｄを挟圧固定した構成を有する。
而して、その電池収納用ケースＡの底面ａとこれと同じつら位置の該端子台Ｅの上面に単電池の複数個を直列接続した群電池Ｆを収容し、該群電池Ｆと夫々の正，負極端子板Ｄ，Ｄとをリード線（図示しない）を介して直列に接続した後、該収納ケースＡの上面にカバーを施し（図示しない）て電池パックとし、使用においては、外部の接続用端子を該電池パックの該電池収納ケースＡの底壁に穿設した端子孔Ｃ，Ｃに露出する正，負極端子を接続して使用される。
【０００３】
【発明が解決しようとする課題】
従来の上記電池パックは、その電池収納用ケースＡに形成した端子部は、そのケースＡの底壁ａに設けた該凹窪部Ｂの底面ｂ１は平面であるため、電池パックに水がかゝり、各端子孔Ｃ内の該端子板Ｄの露出部の外面に付着した場合、その水は、端子板Ｄと該底面ｂ１及び該凹窪部Ｂの周側壁面ｂ２との間の微細な間隙に侵入し、更には、毛細管現象により水を吸い上げ、電池ケースの底面ａに載置した群電池の下面に侵入して正，負極端子板Ｄ，Ｄの他端部ｄ２，ｄ２とこれらに接続されるリード坂（図示しない）との接続部の腐食をもたらし、侵入した水の量によっては、該正，負極端子板Ｄ，Ｄの他端部ｄ２，ｄ２間又はリード板間の短絡をもたらすなどの不都合があった。
【０００４】
【課題を解決するための手段】
本発明は、上記従来の課題を解決した電池パックにおける電池収納用ケースの端子部を提供するもので、電池ケースの底壁に端子設置用の凹窪部を形成すると共に該凹窪部の底面の中央部に少なくとも正，負極端子接続用の端子孔を併設し、該凹窪部の底面に該端子孔の上面を閉塞して少なくとも２枚の肉薄で長矩形状の端子板の一端部を導入して載置し、その他端部を該凹窪部の周側壁に沿い折り曲げた後、その外側の電池ケースの底面に沿い折り曲げて導出し、端子台を該凹窪部に嵌着して該凹窪部との間にこれら端子板の導入部を挟圧固定して成る電池パックにおける電池収納用ケースの端子部において、該凹窪部の底面にその中央部に併設した端子孔の外周を囲繞して環状突枠又は環状溝枠を形成し、該環状突枠部又は環状溝枠部と交叉する各端子板の個所をその突枠の横断面形状又は溝枠の横断面形状に沿って屈曲せしめた屈曲部として沿着し、該端子台を、その裏面に形成した環状溝枠又は環状突枠を該凹窪部の底面に設けた該環状突枠又は該環状溝枠に嵌合せしめた状態で該凹窪部内に嵌着し、これら端子部を挟圧固定したことを特徴とする。
更に本発明は、上記の発明において、該凹窪部の底面及び該端子台の裏面に夫々対向して設ける夫々の環状突枠又は環状溝枠を、二重に形成することを特徴とする。
【０００５】
【発明の実施の形態】
次に、本発明の実施の形態を、添付図面に基づいて説明する。
図１乃至図３は、本発明の電池パックにおける収納用ケースの端子部の実施の１例を示す。
図面で１は、電池収納用ケースを示し、合成樹脂を材料として成形される。該ケース１の底面１ａには、その１側に所定深さの方形の凹窪部２を形成する。該凹窪部２の寸法は、例えば、縦１８ｍｍ、横２５ｍｍ、深さ１ｍｍとする。その凹窪部２の底面２ａの中央部には、複数個の、図面では正極端子、負極端子及びサーミスタの一端の端子の接続用の３個の端子孔３，３，３が形成されている。
本発明によれば、該凹窪部２の底面２ａの中央部に併設したこれらの端子孔３，３，３を囲繞して、図示の例では方形の環状突枠４を形成する。該環状突枠４の枠部寸法は、例えばその高さは０．５ｍｍ、その幅は１ｍｍとする。このように環状突枠４を突設した該凹窪部２内に、長矩形の肉薄の端子板５の一端部を導入し、各端子孔３の上面を閉塞してその底面２ａ上に載置するが、その方形の環状突枠４の前後方向で対向する２辺の突枠部４ａ，４ｂと交叉する個所５ａ，５ｂで該突枠部４ａ，４ｂの横断面形状、図示の場合は、断面四角形に沿わせてコ字状に折り曲げてそのコ字上の屈曲部５ａ，５ｂとして沿着し、その他端部５ｃ，５ｃ，５ｃを該凹窪部２の周側壁部２ｂに沿わせて上向きに折り曲げた後、水平に折り曲げて該凹窪部２の外側のケース１の底面１ａの上面に沿うようにＬ字状に折り曲げて該凹窪部２の外部に導出させる。各該端子板５の肉厚は、殆ど厚さのない０．１５〜０．２ｍｍとする。
一方、該凹窪部２に嵌着して該端子板５，５，５を挟圧固定するための端子台６は、合成樹脂やゴムなどの成形品であり、該凹窪部２と略同じ寸法、形状、厚さであり、該凹窪部２に嵌着したとき、その上面は、その凹窪部２の外側のケース１の底面１ａと同じつら位置となるように成形されるが、この場合、本発明によれば、その裏面６ａに、該凹窪部２に嵌合したとき、該凹窪部２に形成した上記の環状突枠４に各端子板５，５，５のコ字状屈曲部５ａ，５ｂを含めて丁度嵌合する幅と深さを有する環状溝枠７、図示の例では方形の環状溝枠７を形成したものを用意し、これを図２〜図３（ａ），（ｂ）に示すように該凹窪部２に嵌着し、該端子台６と該凹窪部２との間にこれら端子板５，５，５を挟圧固定した場合、その互いに噛み合う環状突枠４と環状溝枠７とにより更に強固に端子板５，５，５を挟圧固定される。該端子台６の寸法は、縦１８ｍｍ、横２１ｍｍ、厚さ２ｍｍとし、その裏面に設けた該環状溝枠７の溝枠部の寸法は、例えば、幅１ｍｍ、深さ０．７ｍｍとする。該端子台６は、特に、ゴムなどの弾性を有する材料で作製された場合は、該環状溝枠７の幅寸法に融通性を生ずるので、肉薄の該端子板５の介在の有無に拘らず、該凹窪部２の底面に突設した環状突枠４に嵌合した場合に密着嵌合することができる。
【０００６】
このように構成された本発明の端子部Ｐを具備した電池収納ケース１内に、図４に示す複数個の単電池を直列に接続した群電池８を収納するが、その収納前に、端子板５，５，５のうち、少なくともその正極用端子板５の導出端部５ｃと負極用端子板５ｃの導出端部５ｃに同じ肉薄の長尺のリード板９を接続すると共にその後端部に接続された一点鎖線示の被覆リード線１０を該ケース１の前方に導き、群電池８の負極端子に接続する。この状態で群電池８を該ケース１内に収納する。この場合、端子板５及びリード板９の肉厚は、たかだか０．１５〜０．２ｍｍであるので、該端子台６の上面６ｂと該ケース１の底面１ａとは略同一平面上に在り、該群電池８は安定して収納できる。その後、該ケース１に合成樹脂製の板状カバー１１を施し且つケース１と接着剤などで結着して、電池パックに構成する。
図示の例では、電池パックの容器の該ケース１の深さは、即ち、周側壁１ａの高さは図示のように群電池８の高さよりやゝ高いものとしたが、これより低くし、該カバー１１を筐型とし、群電池８の一部を該カバー１１内に収納する形式の電池パックとしてもよいことは言うまでもない。
【０００７】
また、本発明の上記の実施例とは逆に、環状突枠４を端子台６側に設け、環状溝枠７を該凹窪部２側に設けるようにしてもよい。図５は、その実施例を示す。即ち、該凹窪部２の底壁を比較的肉厚とし、その底面２ａに方形の環状溝枠７を設け、該端子台６の裏面に方形の環状突枠４を設けた場合を示す。この場合、各端子板５は、その凹窪部２の底面２ａに設けた方形の溝枠７と交叉する個所で、即ち、その溝枠部７ａ，７ｂを横断する個所でコ字状の屈曲部５ａ，５ｂとして、その溝枠部７ａ，７ｂに沿着せしめられる。これにより、実施例１の構成と同様に下記する効果をもたらす。
【０００８】
このように構成した本発明の電池収納用ケースの端子部Ｐは、該凹窪部２の底面２ａに、その中央部に併設した複数個の端子孔３の外周を囲繞して環状突枠４又は環状溝枠７を設けたので、該端子孔３に露出する端子板５に付着した水は、該環状突枠４又は該環状溝枠７によって該凹窪部２の底面２ａの奥への侵入が可及的に防止されると共に、正，負極端子板５，５の導出端部５ｃ，５ｃとこれに接続するリード板９，９間との接触部の腐食、更に該導出部５ｃ，５ｃ間及びリード板間の短絡を未然に防ぐことができる。
また、上記したように、各端子板５は、該凹窪部２の底面２ａに設けた該環状突枠４又は該環状溝枠７と交叉する個所で、その夫々の横断面形状に沿ったコ字状の屈曲部５ａ，５ｂとし、これをその夫々の該環状突枠４の突枠部４ａ，４ｂ又は該環状溝枠７の溝枠部７ａ，７ｂに沿着し、その上面に該端子台６をその環状溝枠７又は環状突枠４を嵌合するようにしたので、各端子板５は該凹窪部２の平坦な底面２ａと端子台６の平坦な裏面６ａとによる挟圧固定に加え、相互に噛み合う環状突枠４と環状溝枠７との間に各端子板５は噛み合い係合による挟圧固定が得られ、安定堅牢な端子部Ｐをもたらす。
【０００９】
また、本発明によれば、更に上記の効果を増大せしめるため、該凹窪部２の底面２ａと該端子台６の裏面６ａに設ける環状突枠４又は環状溝部７を二重に設けるようにすることが好ましい。
図６は、その実施の１例を示す。図面で該ケース１の底面１ａに設けた該凹窪部２の底面２ａに、その中央部に併設した端子孔３，３，３の外周に方形の第１環状突枠４とその外側に少許の間隔を存して方形の第２環状突枠４とを配設する一方、該端子台６の裏面６ａに上記の第１、第２環状突枠４，４に夫々嵌合される方形の第１環状溝枠とその外側に方形の第２環状溝枠７とを配設したものである。而して、各端子孔３上に載置した端子板５は、夫々の横断面形状が角形の第１、第２環状突枠４，４の前後の突枠部４ａ，４ａ，４ｂ，４ｂと夫々交叉する個所をコ字状に屈曲させ、その屈曲部５ａ，５ａ，５ｂ，５ｂでその夫々の枠部４ａ，４ａ，４ｂ，４ｂに嵌合した状態で設置し、その上面から前記の端子台６を嵌合させ、各端子板５を挟圧固定するようにしたもので、該凹窪部２の底面２ａに二重に環状突枠４と環状溝枠７が存するため、水の侵入防止性が更に保証され、また、同時に、各端子板６の設置固定が更に増大し安定堅牢な端子部Ｐが得られる。
【００１０】
【発明の効果】
本願の請求項１に係る発明により、電池パックの端子孔に水が内部に侵入する防止効果が増大すると共に、ケース内部での端子板とリード板との接続部の腐食が防止され、また端子板間、更にはリード板間の短絡が防止され、而も端子板の挟圧固定力の増大した安定堅牢な電池パックにおける電池収納用ケースの端子部が得られる効果をもたらす。
更に、請求項２に係る発明により、前記の効果を更に増大する。
【図面の簡単な説明】
【図１】  本発明の実施の１例の端子部を具備した電池パックにおける電池収納用ケースの一部を裁除した分解斜面図であり、図１（ａ）は裏面を上向きにした端子台の斜面図、図１（ｂ）は該ケースの一部を裁除した斜面図。
【図２】  図１示の本発明の端子部を具備した電池パックにおける電池収納用ケースの斜面図。
【図３】  図２の要部の裁断面図であり、図３（ａ）は図２のＡ−Ａ線裁断面図、図３（ｂ）は図２のＢ−Ｂ線裁断面図。
【図４】  電池パックの分解斜面図であり、図４（ａ）はカバーの斜面図、図４（ｂ）は群電池の斜面図、図４（ｃ）は本発明の端子部を具備した電池収納用ケースの斜面図。
【図５】  本発明の変形例の断面図。
【図６】  本発明の更に変形例の端子部を具備した電池収納用ケース１の一部を裁除した分解斜面図であり、図６（ａ）は裏面を上向きにした端子台の斜面図、図６（ｂ）は該ケースの一部を裁除した斜面図。
【図７】  従来の電池パックにおける電池収納用ケースに具備した端子部の裁断面図。
【符号の説明】
１  電池収納用ケース    ２  凹窪部              ２ａ  凹窪部の底面
３  端子孔              ４  環状突枠、方形突枠  ４ａ，４ｂ  突枠部
５  端子板              ５ａ，５ｂ  屈曲部      ６  端子台
７  環状溝枠、方形溝枠  ７ａ，７ｂ  溝枠部
【図１】
0003929617.tif 000002
【図２】
0003929617.tif 000003
【図３】
0003929617.tif 000004
【図４】
0003929617.tif 000005
【図５】
0003929617.tif 000006
【図６】
0003929617.tif 000007
【図７】
0003929617.tif 000008